(57)【要約】【課題】Ｗｅｂブラウザの重複した起動を制限しつつ、自在にブックマーク登録機能を利用することができる電子装置及び制御方法及び制御プログラムを提供すること。【解決手段】Ｗｅｂページを閲覧するＷｅｂブラウザを有し、Ｗｅｂブラウザの重複した起動を制限する携帯電子機器１において、Ｗｅｂブラウザを起動する起動部５１と、起動部５１によりＷｅｂブラウザが起動されたときに、Ｗｅｂブラウザにより他のアプリケーションに対応するファイル形式とは異なるファイル形式で管理されているＵＲＬデータを読み出す第１の読出部５２と、第１の読出部５２により読み出したＵＲＬデータを他のアプリケーションに対応する所定のファイル形式で記憶する記憶部５３と、記憶部５３に記憶されているＵＲＬデータを他のアプリケーションにより読み出す第２の読出部５４とを備える。【選択図】図３
2010176257.tif 000002
【特許請求の範囲】
【請求項１】
Ｗｅｂページを閲覧するＷｅｂブラウザを有し、前記Ｗｅｂブラウザの重複した起動を制限する電子装置において、
前記Ｗｅｂブラウザを起動する起動手段と、
前記起動手段により前記Ｗｅｂブラウザが起動されたときに、前記Ｗｅｂブラウザにより他のアプリケーションに対応するファイル形式とは異なるファイル形式で管理されているＵＲＬ（Ｕｎｉｆｏｒｍ  Ｒｅｓｏｕｒｃｅ  Ｌｏｃａｔｏｒ）データを読み出す第１の読出手段と、
前記第１の読出手段により読み出したＵＲＬデータを前記他のアプリケーションに対応する所定のファイル形式で記憶する記憶手段と、
前記記憶手段に記憶されているＵＲＬデータを前記他のアプリケーションにより読み出す第２の読出手段とを備えることを特徴とする電子装置。
【請求項２】
前記記憶手段に記憶されている前記ＵＲＬデータに複数のＵＲＬが含まれており、当該複数のＵＲＬが階層の異なるツリー状の階層構造により構成されているか否かを判定する判定手段と、
前記判定手段により当該複数のＵＲＬがツリー状の階層構造により構成されていると判定されたときに、前記記憶手段に記憶されている前記ＵＲＬデータの階層構造を前記ツリー状の階層構造から単一の階層構造に再構成する再構成手段と、を備え、
前記第２の読出手段は、前記再構成手段により単一の階層構造に再構成されたＵＲＬデータを前記他のアプリケーションにより読み出すことを特徴とする請求項１記載の電子装置。
【請求項３】
前記第２の読出手段により読み出したＵＲＬデータをテキストデータとして所定の表示領域に引用する引用手段を備えることを特徴とする請求項１又は２に記載の電子装置。
【請求項４】
Ｗｅｂページを閲覧するＷｅｂブラウザを有し、前記Ｗｅｂブラウザの重複した起動を制限する電子装置を制御する制御方法において、
前記Ｗｅｂブラウザを起動する起動工程と、
前記起動工程により前記Ｗｅｂブラウザが起動されたときに、前記Ｗｅｂブラウザにより他のアプリケーションに対応するファイル形式とは異なるファイル形式で管理されているＵＲＬ（Ｕｎｉｆｏｒｍ  Ｒｅｓｏｕｒｃｅ  Ｌｏｃａｔｏｒ）データを読み出す第１の読出工程と、
前記第１の読出工程により読み出したＵＲＬデータを前記他のアプリケーションに対応する所定のファイル形式で記憶部に記憶する記憶工程と、
前記記憶部に記憶されているＵＲＬデータを前記他のアプリケーションにより読み出す第２の読出工程とを備えることを特徴とする制御方法。
【請求項５】
Ｗｅｂページを閲覧するＷｅｂブラウザを有し、前記Ｗｅｂブラウザの重複した起動を制限する電子装置の制御をコンピュータによって実現するための制御プログラムにおいて、
前記Ｗｅｂブラウザを起動する起動工程と、
前記起動工程により前記Ｗｅｂブラウザが起動されたときに、前記Ｗｅｂブラウザにより他のアプリケーションに対応するファイル形式とは異なるファイル形式で管理されているＵＲＬ（Ｕｎｉｆｏｒｍ  Ｒｅｓｏｕｒｃｅ  Ｌｏｃａｔｏｒ）データを読み出す第１の読出工程と、
前記第１の読出工程により読み出したＵＲＬデータを前記他のアプリケーションに対応する所定のファイル形式で記憶部に記憶する記憶工程と、
前記記憶部に記憶されているＵＲＬデータを前記他のアプリケーションにより読み出す第２の読出工程とをコンピュータによって実現するための制御プログラム。
【発明の詳細な説明】
【技術分野】
【０００１】
本発明は、Ｗｅｂブラウザがインストールされている電子装置及び制御方法及び制御プログラムに関する。
【背景技術】
【０００２】
近年の携帯型の電子装置には、ネットワーク（インターネット）に接続し、Ｗｅｂページを閲覧するためのアプリケーション（以下、Ｗｅｂブラウザという。）がインストールされている。Ｗｅｂブラウザは、インターネットからＨＴＭＬ（ｈｙｐｅｒ  ｔｅｘｔ  ｍａｒｋｕｐ  ｌａｎｇｕａｇｅ）ファイルや画像ファイル、音楽ファイル等をダウンロードし、レイアウトを解析して表示部に表示し、再生する機能を有している。
【０００３】
また、Ｗｅｂブラウザでは、使用者が過去に閲覧したＷｅｂページのＵＲＬを登録しておき、次回から登録されているＵＲＬの中から所望のＵＲＬを選択することによって、所望のＷｅｂページをいつでも簡易に閲覧できる機能（以下、ブックマーク登録機能という。）が備えられている。また、特許文献１には、このブックマーク登録機能の利便性の向上を図る技術が提案されている。
【先行技術文献】
【特許文献】
【０００４】
【特許文献１】特開２００３−６７３２８号公報
【発明の概要】
【発明が解決しようとする課題】
【０００５】
また、Ｗｅｂブラウザでは、同時に二つ以上のＷｅｂページを起動することを禁止し、また、データ処理上の事由から他のアプリケーションに対応するファイル形式とは異なるファイル形式でブックマーク登録機能を管理するものがある。このようなＷｅｂブラウザにおいては、ブックマーク登録機能を利用したい場合には、Ｗｅｂブラウザを起動する必要があり、Ｗｅｂブラウザが起動していない状態では、ファイル形式の違いからブックマーク登録機能を利用することができない。
【０００６】
また、Ｗｅｂブラウザでは、起動後、所定のＷｅｂページ（例えば、検索用のＷｅｂページ）中に配置されている文字入力領域（例えば、検索窓）に文字を入力するときに、専用の文字入力画面に遷移するものがある。
【０００７】
ここで、使用者は、当該文字入力画面にブックマーク登録機能により登録されているＵＲＬを引用して利用したい場合がある。しかし、この状態でブックマーク登録機能を利用しようとすると、Ｗｅｂブラウザが重複して起動されることになるため、Ｗｅｂブラウザの重複起動が禁止されている場合には、ブックマークを引用できないことになり、利便性が低下してしまう。
【０００８】
ここで、Ｗｅｂブラウザの重複起動を禁止する理由について以下に説明する。Ｗｅｂブラウザの起動は、専用プログラムのライブラリ側のシステム上で管理されており、また、ブックマークの一覧表示も同様に専用プログラムのライブラリ側で管理されているため、Ｗｅｂブラウザを重複起動する場合には、専用プログラムのライブラリ側のシステムを重複して稼動させなければならない。このような状況は、専用プログラム側のシステム上の問題（システムの負荷が高いため、重複起動は、消費電流が大きく、メモリの負担も大きい等の問題）があり、また、電子装置側もライブラリの重複起動を許容するために容量の大きなメモリを必要とする。
【０００９】
本発明では、Ｗｅｂブラウザの重複した起動を制限しつつ、自在にブックマーク登録機能を利用することができる電子装置及び制御方法及び制御プログラムを提供することを目的とする。
【課題を解決するための手段】
【００１０】
本発明に係る電子装置は、上記課題を解決するために、Ｗｅｂページを閲覧するＷｅｂブラウザを有し、前記Ｗｅｂブラウザの重複した起動を制限する電子装置において、前記Ｗｅｂブラウザを起動する起動手段と、前記起動手段により前記Ｗｅｂブラウザが起動されたときに、前記Ｗｅｂブラウザにより他のアプリケーションに対応するファイル形式とは異なるファイル形式で管理されているＵＲＬ（Ｕｎｉｆｏｒｍ  Ｒｅｓｏｕｒｃｅ  Ｌｏｃａｔｏｒ）データを読み出す第１の読出手段と、前記第１の読出手段により読み出したＵＲＬデータを前記他のアプリケーションに対応する所定のファイル形式で記憶する記憶手段と、前記記憶手段に記憶されているＵＲＬデータを前記他のアプリケーションにより読み出す第２の読出手段とを備えることを特徴とする。
【００１１】
また、前記電子装置では、前記記憶手段に記憶されている前記ＵＲＬデータに複数のＵＲＬが含まれており、当該複数のＵＲＬが階層の異なるツリー状の階層構造により構成されているか否かを判定する判定手段と、前記判定手段により当該複数のＵＲＬがツリー状の階層構造により構成されていると判定されたときに、前記記憶手段に記憶されている前記ＵＲＬデータの階層構造を前記ツリー状の階層構造から単一の階層構造に再構成する再構成手段と、を備え、前記第２の読出手段は、前記再構成手段により単一の階層構造に再構成されたＵＲＬデータを前記他のアプリケーションにより読み出すことが好ましい。
【００１２】
また、前記電子装置では、前記第２の読出手段により読み出したＵＲＬデータをテキストデータとして所定の表示領域に引用する引用手段を備えることが好ましい。
【００１３】
本発明に係る制御方法は、上記課題を解決するために、Ｗｅｂページを閲覧するＷｅｂブラウザを有し、前記Ｗｅｂブラウザの重複した起動を制限する電子装置を制御する制御方法において、前記Ｗｅｂブラウザを起動する起動工程と、前記起動工程により前記Ｗｅｂブラウザが起動されたときに、前記Ｗｅｂブラウザにより他のアプリケーションに対応するファイル形式とは異なるファイル形式で管理されているＵＲＬ（Ｕｎｉｆｏｒｍ  Ｒｅｓｏｕｒｃｅ  Ｌｏｃａｔｏｒ）データを読み出す第１の読出工程と、前記第１の読出工程により読み出したＵＲＬデータを前記他のアプリケーションに対応する所定のファイル形式で記憶部に記憶する記憶工程と、前記記憶部に記憶されているＵＲＬデータを前記他のアプリケーションにより読み出す第２の読出工程とを備えることを特徴とする。
【００１４】
また、本発明に係る制御プログラムは、Ｗｅｂページを閲覧するＷｅｂブラウザを有し、前記Ｗｅｂブラウザの重複した起動を制限する電子装置の制御をコンピュータによって実現するための制御プログラムであって、前記Ｗｅｂブラウザを起動する起動工程と、前記起動工程により前記Ｗｅｂブラウザが起動されたときに、前記Ｗｅｂブラウザにより他のアプリケーションに対応するファイル形式とは異なるファイル形式で管理されているＵＲＬ（Ｕｎｉｆｏｒｍ  Ｒｅｓｏｕｒｃｅ  Ｌｏｃａｔｏｒ）データを読み出す第１の読出工程と、前記第１の読出工程により読み出したＵＲＬデータを前記他のアプリケーションに対応する所定のファイル形式で記憶部に記憶する記憶工程と、前記記憶部に記憶されているＵＲＬデータを前記他のアプリケーションにより読み出す第２の読出工程とをコンピュータによって実現するための制御プログラムである。
【発明の効果】
【００１５】
本発明によれば、Ｗｅｂブラウザの重複した起動を制限しつつ、自在にブックマーク登録機能を利用することができる。
【図面の簡単な説明】
【００１６】
【図１】本発明に係る携帯電子機器の外観を示す斜視図である。
【図２】本発明に係る携帯電子機器が基地局を介してサーバに接続される様子を模式的に示すブロック図である。
【図３】本発明に係る携帯電子機器の機能を示すブロック図である。
【図４】図３に示す携帯電子機器の実施例についての説明に供するフローチャートである。
【図５】図４に示すフローチャートにしたがって携帯電子機器の表示部が変化するときの様子を模式的に示す図である。
【発明を実施するための形態】
【００１７】
以下、本発明の実施の形態について説明する。図１は、本発明に係る電子装置の一例である携帯電子機器１が基地局を介してサーバと通信を行う様子を模式的に示す図である。図１に示すように、携帯電子機器１は、フロントケース２ａとリアケース２ｂとにより外面が形成される操作部側筐体部２と、フロントケース３ａとリアケース３ｂとにより外面が形成される表示部側筐体部３と、操作部側筐体部２と表示部側筐体部３とを連結するヒンジ機構４と、を備えて構成される。
【００１８】
操作部側筐体部２は、フロントケース２ａの表面側に露出するように配設される操作ボタン群１１と音声入力部１２とを有して構成される。操作ボタン群１１は、各種設定や電話帳機能やメール機能等の各種機能を作動させるための機能設定操作ボタン１３と、数字や文字が割り当てられ、電話番号入力時やメール作成時等における文字入力時に用いられる入力操作ボタン１４と、各種操作における決定やスクロール等を行う決定操作ボタン１５と、から構成されている。また、操作部側筐体部２の側面には、イヤホンコネクタキャップ１６と、外部機器（基地局）と通信を行うためのインターフェース（図示せず）を覆うキャップ１７とが設けられている。さらに、操作部側筐体部２の下端部には、充電用コネクタ（図示せず）を覆うキャップ１８ａと、一対の充電用接点部１８ｂとが設けられている。なお、音声入力部１２は、携帯電子機器１の使用者が通話時に発した音声を入力するために用いられる。
【００１９】
表示部側筐体部３は、各種情報を表示するためのディスプレイ２１と、通話の相手側の音声を出力する音声出力部２２とを有して構成される。また、表示部側筐体部３の上端部には、他の携帯電話装置等との間で赤外線通信を行うための通信部２３が設けられている。
【００２０】
ヒンジ機構４は、操作部側筐体部２と表示部側筐体部３とが相対的に動くようにこれらを連結しており、操作部側筐体部２と表示部側筐体部３とが互いに開いた使用状態（開放状態）と、操作部側筐体部２の表面と表示部側筐体部３の表面とが互いに向き合った格納状態（折畳み状態）とに切り換えることができるように構成されている。なお、本実施形態においては、通信機器の一例としてヒンジ機構４を介して操作部側筐体部２と表示部側筐体部３とが相対的に動く、いわゆる折り畳み式の携帯電子機器１を挙げているが、本発明は、折り畳み式ではなく、操作部側筐体部２と表示部側筐体部３とを重ね合わせた状態から一方の筐体を一方向にスライドさせるようにしたスライド式や、重ね合せ方向に沿う軸線を中心に一方の筐体を回転させるようにした回転式や、操作部側筐体部２と表示部側筐体部３とを２軸ヒンジを介して連結したもの、さらには、操作部側筐体部２と表示部側筐体部３とが１つの筐体に配置されたもの（いわゆる、ストレートタイプ）であっても適用可能である。
【００２１】
ここで、携帯電子機器１は、図２に示すように、基地局１００を介して、サーバ１０１に接続されている。携帯電子機器１は、Ｗｅｂページを閲覧するためのアプリケーション（以下、Ｗｅｂブラウザという。）がインストールされており、Ｗｅｂブラウザを起動し、所定のＵＲＬを入力することにより、基地局１００を介して当該所定のＵＲＬに対応するサーバ１０１にアクセスすることができる。Ｗｅｂブラウザは、サーバ１０１からＨＴＭＬ（ｈｙｐｅｒ  ｔｅｘｔ  ｍａｒｋｕｐ  ｌａｎｇｕａｇｅ）ファイルや画像ファイル、音楽ファイル等をダウンロードし、レイアウトを解析して表示部に表示し、再生する機能を有している。また、Ｗｅｂブラウザでは、使用者が過去に閲覧したＷｅｂページのＵＲＬを登録しておき、次回から登録されているＵＲＬの中から所望のＵＲＬを選択することによって、所望のＷｅｂページをいつでも簡易に閲覧できる機能（以下、ブックマーク登録機能という。）が備えられている。
【００２２】
また、携帯電子機器１は、Ｗｅｂブラウザの重複した起動を制限しつつ、いつでも自在にブックマーク登録機能を利用可能な機能を有している。ここで、上述した機能を発揮するための構成について機能的に説明する。携帯電子機器１は、図３に示すように、起動部５１（起動手段）と、第１の読出部５２（第１の読出手段）と、記憶部５３（記憶手段）と、第２の読出部５４（第２の読出手段）とを備える。なお、以下では、Ｗｅｂブラウザには、既に使用者により複数のＵＲＬがブックマーク登録されているものとする。
【００２３】
起動部５１は、Ｗｅｂブラウザを起動する。具体的には、起動部５１は、使用者による所定の操作に応じてインストールされているＷｅｂブラウザの起動を行う。第１の読出部５２は、起動部５１によりＷｅｂブラウザが起動されたときに、Ｗｅｂブラウザにより他のアプリケーションに対応するファイル形式とは異なるファイル形式で管理されているＵＲＬ（Ｕｎｉｆｏｒｍ  Ｒｅｓｏｕｒｃｅ  Ｌｏｃａｔｏｒ）データを読み出す。
【００２４】
記憶部５３は、第１の読出部５２により読み出したＵＲＬデータを他のアプリケーション（例えば、メモ帳や、アドレス帳等のアプリケーション）に対応する所定のファイル形式で記憶する。第２の読出部５４は、記憶部５３に記憶されているＵＲＬデータを他のアプリケーションにより読み出す。
【００２５】
このように構成されることにより、携帯電子機器１では、Ｗｅｂブラウザが他のアプリケーションに対応するファイル形式とは異なるファイル形式でブックマーク登録機能を管理しており、かつ重複した起動が制限されている場合であっても、一度、Ｗｅｂブラウザが起動されていることを条件に、予めブックマーク登録されているＵＲＬデータを読み出し、他のアプリケーションに対応する所定のファイル形式で記憶部５３に記憶しておくので、使用者は、Ｗｅｂブラウザの起動の有無を問わずいつでも自在にブックマーク登録機能を利用することができる。
【００２６】
また、携帯電子機器１は、さらに、図３に示すように、判定部５５（判定手段）と、再構成部５６（再構成手段）とを備える。判定部５５は、記憶部５３に記憶されているＵＲＬデータに複数のＵＲＬが含まれており、当該複数のＵＲＬが階層の異なるツリー状の階層構造により構成されているか否かを判定する。また、再構成部５６は、判定部５５により当該複数のＵＲＬがツリー状の階層構造により構成されていると判定されたときに、記憶部５３に記憶されているＵＲＬデータの階層構造をツリー状の階層構造から単一の階層構造に再構成する。このように構成される場合には、第２の読出部５４は、再構成部５６により単一の階層構造に再構成されたＵＲＬデータを他のアプリケーションにより読み出す。
【００２７】
例えば、再構成部５６は、Ｗｅｂブラウザにブックマーク登録されているＵＲＬデータが複数有り、複数のＵＲＬがカテゴリー別となるように階層の異なるツリー状の階層構造により構成されている場合に、１データずつ解体して、単一の階層構造に再構成する。
【００２８】
このように構成されることにより、携帯電子機器１は、使用者がブックマーク登録したＵＲＬを引用したいときに、いつでも自在に視認性を考慮しつつ容易に引用することができる。また、携帯電子機器１は、ＵＲＬの引用時に判別が容易なように、ＵＲＬを引用する選択表示において、登録されているＵＲＬに対応するＷｅｂページのタイトルを表示させても良く、また、タイトルが登録されていない場合には、ＵＲＬをそのまま表示させても良い。
【００２９】
また、携帯電子機器１は、図３に示すように、第２の読出部５４により読み出したＵＲＬデータをテキストデータとして所定の表示領域に引用する引用部５７（引用手段）を備える構成であっても良い。
【００３０】
このように構成されることにより、携帯電子機器１は、Ｗｅｂブラウザが起動していないときや、すでにＷｅｂブラウザが起動しているときでも重複起動を意識することなく、引用部５７によりＵＲＬをテキストデータとして利用できるので、すでにブックマーク登録されているＵＲＬを使用者が操作ボタン群１１を操作して再入力しなくても良く、利便性の向上を図ることができる。
【００３１】
ここで、携帯電子機器１の実施例について、図４及び図５を参照して説明する。なお、以下の実施例では、Ｗｅｂブラウザは、起動後、所定のＷｅｂページ中に配置されている文字入力領域に文字を入力するときに、専用の文字入力画面に遷移する構成であるものとする。また、所定のＷｅｂページは、翻訳用のＷｅｂページであり、文字入力領域に任意のＵＲＬを入力すると、そのＵＲＬに対応するＷｅｂページに記載されている言語を翻訳（例えば、英語を日本語に翻訳）する機能を有するページであるとする。
【００３２】
ステップＳ１において、図４に示すように、携帯電子機器１は、起動部５１によりＷｅｂブラウザを起動し、使用者による所定の操作に応じて、所定のＷｅｂページを表示する（図５（ａ）を参照）。このとき、第１の読出部５２は、Ｗｅｂブラウザが管理するブックマーク登録されているＵＲＬを読み出す。また、記憶部５３は、ＵＲＬデータを他のアプリケーションに対応する所定のファイル形式で記憶する。
【００３３】
ステップＳ２において、携帯電子機器１は、表示されているＷｅｂページ中に配置されているＵＲＬ入力領域Ａを選択する操作（例えば、ポインタＢをＵＲＬ入力領域Ａに移動し、操作ボタン群１１の決定ボタンを押下するような操作）が行われたときに、所定の入力用画面Ｃを表示する（図５（ｂ）を参照）。
【００３４】
ステップＳ３において、携帯電子機器１は、ポインタＢをメニューキーＤに移動し、操作ボタン群１１の決定ボタンを押下するような操作が行われたときに、メニューＥを表示する（図５（ｃ）を参照）。
【００３５】
ステップＳ４において、携帯電子機器１は、ブックマーク登録されているＵＲＬを引用するための操作（例えば、「６．引用」メニューを選択する操作）が行われたか否かを判断する。ＵＲＬを引用するための操作が行われたと判断した場合（Ｙｅｓ）には、ステップＳ６に進み、ＵＲＬを引用するための操作が行われなかったと判断した場合（Ｎｏ）には、ステップＳ５に進む。
【００３６】
ステップＳ５において、携帯電子機器１は、メニューＥにおいて表示されている他のメニュー（「６．引用」メニュー以外のメニュー）が選択されたときに、選択されたメニューにしたがった機能を発揮（例えば、選択されたメニューに応じたアプリケーションの起動）する。その後、ステップＳ１０に進む。
【００３７】
ステップＳ６において、携帯電子機器１は、引用メニューＦの中の「３．ブックマーク」が選択されたか否かを判断する（図５（ｄ）を参照）。「３．ブックマーク」が選択されたと判断した場合（Ｙｅｓ）には、ステップＳ８に進み、「３．ブックマーク」が選択されなかったと判断した場合、すわなち「１．アドレス帳」、「２．プロフィール」又は「４．メモ帳」が選択された場合（Ｎｏ）には、ステップＳ７に進む。
【００３８】
ステップＳ７において、携帯電子機器１は、選択されたメニューにしたがった機能を発揮する。その後、ステップＳ１０に進む。
【００３９】
ステップＳ８において、携帯電子機器１は、記憶部５３に記憶されているブックマーク登録されているＵＲＬを一覧表示する（図５（ｅ）を参照）。なお、図５（ｅ）においては、ＵＲＬを直接表示せずにそのタイトルを単一の改造構造により表示する例を示しているが、これに限られない。
【００４０】
ステップＳ９において、携帯電子機器１は、一覧表示されているＵＲＬの中から一のＵＲＬが選択されたときに、そのＵＲＬを入力用画面Ｃに挿入する（図５（ｆ）を参照）。
【００４１】
ステップＳ１０において、携帯電子機器１は、決定の操作（例えば、ポインタＢを決定キーＧに移動し、操作ボタン群１１の決定ボタンを押下するような操作）が行われたときに、Ｗｅｂブラウザの起動画面に戻る。Ｗｅｂブラウザは、引用されたＵＲＬに対応するＷｅｂページに記載されている言語の翻訳を実行する。
【００４２】
このようにして、携帯電子機器１は、Ｗｅｂブラウザの重複起動が禁止されている場合であっても、ブックマーク登録されているＵＲＬの引用を自在に行うことができ、利便性の向上を図ることができる。
【００４３】
また、携帯電子機器１は、Ｗｅｂブラウザが起動される度に、記憶部５３に記憶されているブックマークが最新のものか否かを判断し、古い場合には、新しいブックマークに書き換える機能を有していても良い。また、携帯電子機器１は、すでに記憶部５３にブックマークが書き込まれていることを条件に、Ｗｅｂブラウザの起動の有無を問わずにブックマークを読み出すことができるので、例えば、赤外線等の通信によってブックマークを外部機器に転送する機能を有していても良い。
【００４４】
また、上述で説明した携帯電子機器１による一連の処理は、ソフトウェアにより行うこともできる。一連の処理をソフトウェアによって行う場合には、そのソフトウェアを構成するプログラムが、汎用のコンピュータ等にインストールされる。また、当該プログラムは、ＣＤ−ＲＯＭのようなリムーバブルメディアに記録されてユーザに配布されても良いし、ネットワークを介してユーザのコンピュータにダウンロードされることにより配布されても良い。
【符号の説明】
【００４５】
１  携帯電子機器
５１  起動部（起動手段）
５２  第１の読出部（第１の読出手段）
５３  記憶部（記憶手段）
５４  第２の読出部（第２の読出手段）
５５  判定部（判定手段）
５６  再構成部（再構成手段）
５７  引用部（引用手段）
【図１】
2010176257.tif 000003
【図２】
2010176257.tif 000004
【図３】
2010176257.tif 000005
【図４】
2010176257.tif 000006
【図５】
2010176257.tif 000007